(57)【要約】【課題】  作像部を含むユニットに設けた接点に対して接離する接点を有し、これら接点同士の接離を、回動部材の回動動作を利用して行なう画像形成装置において、接点同士の電気的開閉機能の確実性及び、部材構成の単純化を図ると共に、簡単な操作で電源の接離操作を行なうことでメンテナンスが容易な画像形成装置を提供すること。【解決手段】  電源部の電力を作像部（８０）に供給する給電経路（５２）及び該給電経路上の接点部材（５０、５１）を回動可能な平板状の面板（６０）内にもたせ、該接点部材（５０、５１）が、電源部と導通する給電側の端子（５０）及び作像部側の被給電側の端子（５１）に対して、該面板の回動動作に応じて接離することで電気的に開閉する構成を備えると共に、不動部材（２００）に支持された端子板（２４）を設けこの端子板（２４）に給電側の端子（２５）を設けた。【選択図】図２
2005242199.tif 000002
【特許請求の範囲】
【請求項１】
作像部を含むユニットに設けた接点に対して接離する接点を有し、これら接点同士の接離を、回動部材の回動動作を利用して行なう画像形成装置において、
電源部の電力を作像部に供給する給電経路及び該給電経路上の接点を回動可能な平板状の面板内にもたせ、該給電経路上の接点が、前記電源部と導通する給電側の接点及び前記作像部側に設けた被給電側の接点に対して、該面板の回動動作に応じて接離することで電気的に開閉する構成を備えると共に、不動部材に支持された端子板を設けこの端子板に前記給電側の接点を設けたことを特徴とする画像形成装置。
【請求項２】
請求項１記載の画像形成装置において、
前記端子板を支持する前記不動部材が、当該画像形成装置本体に対して着脱可能な電装ユニットであることを特徴とする画像形成装置。
【請求項３】
請求項１又は２記載の画像形成装置において、
前記端子板の前記非支持部側が不動部材に対してねじで連結補強されていることを特徴とする画像形成装置。
【請求項４】
請求項３に記載の画像形成装置において、
前記ねじは段ねじであることを特徴とする画像形成装置。
【請求項５】
請求項３又は４に記載の画像形成装置において、
前記ねじで連結補強する箇所が複数設けられていることを特徴とする画像形成装置。
【請求項６】
請求項１乃至５の何れかに記載の画像形成装置において、
前記面板は、前記作像部を収めた作像ユニットを当該画像形成装置に対して着脱可能とする当該画像形成装置本体の開口部を開閉する蓋を兼用し、回動動作に応じて前記開口部を開閉することを特徴とする画像形成装置。
【請求項７】
請求項１乃至６の何れかに記載の画像形成装置において、
前記端子板は前記不動部材に対して移動して前記面板との間の距離を調節可能であり、任意の調節位置で固定可能な構造であることを特徴とする画像形成装置。
【発明の詳細な説明】
【技術分野】
【０００１】
本発明は、電子写真複写機、レーザープリンタ、ファクシミリ等の画像形成装置に関する。
【背景技術】
【０００２】
画像形成装置において、現像装置などの作像部を含むユニットに設けた接点に対して接離する接点を有し、これら接点同士の接離を、回動部材の回動動作を利用して行なう技術思想がある（例えば、特許文献１、２参照）。
【０００３】
特許文献１に開示された内容を詳細にみると、回動部材（上部開閉カバー１２）の開閉に連動する接点動作部材（筐体２１）を備え、この接点動作部材の移動動作を介して、接点同士（接点２０と接点１８）の接離を行なうものである。
【０００４】
すなわち、接点同士の接離を前記回動部材の直接の動作を利用するのでなく、前記接点動作部材を介して間接的に行なう点で間接的であるので、接点同士の電気的開閉機能の確実性や、部材構成の単純化についてこれを阻害する要因となる。
【０００５】
また、特許文献２に開示された内容をもう少し詳細にみると、電源部の電力を被給電側（転写装置２０）に供給する給電経路及び該給電経路上の複数の接点（中継端子１６）を画像形成装置の本体側に設け、被給電側である転写装置２０に給電部材２５を設けて回動可能にし、この回動動作を利用してこれら接点（中継端子１６）と給電部材２５とを電気的に開閉するものである。
【０００６】
すなわち、回動部材が転写装置２０という大掛かりな装置を構成しているので、開閉動作に多大の労力を必要とし、電源の接離操作に困難を伴う。
【０００７】
【特許文献１】特許第３２４６５６３号
【特許文献２】特開２００１−３１２１５７号
【発明の開示】
【発明が解決しようとする課題】
【０００８】
この発明は、上述した事情に鑑み、接点同士の電気的開閉機能の確実性及び、部材構成の単純化を図ると共に、簡単な操作で電源の接離操作を行なうことでメンテナンスが容易な画像形成装置を提供することである。
【課題を解決するための手段】
【０００９】
本発明は、前記課題を達成するため以下の構成とした。  
（１）．  作像部を含むユニットに設けた接点に対して接離する接点を有し、これら接点同士の接離を、回動部材の回動動作を利用して行なう画像形成装置において、電源部の電力を作像部に供給する給電経路及び該給電経路上の接点（接点部材）を回動可能な平板状の面板内にもたせ、該給電経路上の接点（接点部材）が、前記電源部と導通する給電側の接点（端子）及び前記作像部側に設けた被給電側の接点（端子）に対して、該面板の回動動作に応じて接離することで電気的に開閉する構成を備えると共に、不動部材に支持された端子板を設けこの端子板に前記給電側の接点（端子）を設けた（請求項１）。
（２）．  （１）記載の画像形成装置において、前記端子板を支持する前記不動部材が、当該画像形成装置本体に対して着脱可能な電装ユニットであることとした。つまり、前記端子板を画像形成装置本体に取付けた。
（３）．  （１）又は（２）記載の画像形成装置において、前記端子板の前記非支持部側を不動部材に対してねじで連結補強した（請求項２）。
（４）．  （３）に記載の画像形成装置において、前記ねじとして段ねじを用いた（請求項３）。
（５）．  （３）又は（４）に記載の画像形成装置において、前記ねじを用いて複数箇所で連結補強した（請求項５）
（６）．  （１）乃至（５）の何れかに記載の画像形成装置において、前記面板を、前記作像部を収めた作像ユニットを当該画像形成装置に対して着脱可能とする当該画像形成装置本体の開口部を開閉するように配置することで蓋を兼用するようにし、回動動作に応じて前記開口部を開閉するようにした（請求項６）。
（７）．  （１）乃至（６）の何れかに記載の画像形成装置において、前記端子板を、前記不動部材に対して移動して前記面板との間の距離を調節可能とし、かつ、任意の調節位置で固定可能な構造にした（請求項７）。
【発明の効果】
【００１０】
本発明によれば、接点同士の電気的開閉機能の確実性及び、部材構成の単純化を図ると共に、簡単な操作で電源の接離操作を行なうことでメンテナンスが容易な画像形成装置を提供することができる。
【発明を実施するための最良の形態】
【００１１】
以下、本発明を実施するための最良の形態例として、カラー画像形成装置について図１を用いて、装置の構成及びカラー画像形成プロセスの概要を説明する。
【００１２】
[１]  画像形成装置の全体構成
図１に示したのは、像担持体としての感光体ドラムおよび現像ユニットを４連に配置したタンデム型カラーレーザープリンタの全体構成である。箱形をした画像形成装置本体（以下、単に装置本体という。）１００内の略中間位置には中間転写ベルト１１０を有する転写ベルト装置１２０が位置している。中間転写ベルト１１０は左右方向に張設されていて、右下がりに緩く傾斜している。中間転写ベルト１１０の下側張設面に沿って、４つの画像ステーションＳＴ１、ＳＴ２、ＳＴ３、ＳＴ４が配置されている。
【００１３】
これら４つの画像ステーションＳＴ１、ＳＴ２、ＳＴ３、ＳＴ４のそれぞれは、カラー画像を構成する色である、イエロー（Ｙ）、シアン（Ｃ）、マゼンタ（Ｍ）、ブラック（Ｂｋ）のトナー画像をつくる諸部材の構成からなり、使用するトナーの色が異なるだけで、同じ構成をしている。
【００１４】
各画像ステーションＳＴ１〜ＳＴ４は、扱うトナーの色が異なるだけで、基本的な構成は同じであるので、図１では各画像ステーションについて扱う色で区別するために、各部材に付した数字の符号の後に、イエロー用の画像ステーションについてはＹ、シアン用の画像ステーションについてはＣ、マゼンタ用の画像ステーションについてはＭ、ブラック用の画像ステーションについてはＢｋの符号をそれぞれ添えて示してある。
【００１５】
転写ベルト装置１２０及び各画像ステーションＳＴ１〜ＳＴ４は、後述するように、静電潜像及びトナー画像をつくり、さらに、色重ねフルカラートナー像をつくる作像部を構成し、この作像部は一体的な作像ユニットとして装置本体１００に対して着脱可能に構成されている。引き出し方向は紙面を貫く手前側である。
【００１６】
図１における部材の符号中からアルファベット部分を除いた数字部分だけの符号で簡単に説明すると、各画像ステーションは、像担持体（以降は、感光体ドラムという。）２と、そのまわりに配置された帯電手段としての帯電装置３、現像手段としての現像装置５、クリーニング手段としてのクリーニング装置４などを具備している。その他の構成については後述する。感光体ドラム２は中間転写ベルト１１０に近接配置されている。
【００１７】
中間転写ベルト１１０の下側張設面は右向きに進行する構成であり、この下側張設面に沿って、最も左側の画像ステーションＳＴ１はイエロー画像を形成する画像ステーションであり、感光体ドラム２０Ｙと、そのまわりに配置された帯電装置３Ｙ、現像装置５Ｙ、クリーニング装置４Ｙなどを具備した構成からなる。
【００１８】
イエロー画像を形成する画像ステーションＳＴ１の右隣には、シアン画像を形成する画像ステーションＳＴ２が位置している。このシアン画像用の画像ステーションＳＴ２は、感光体ドラム２Ｃと、そのまわりに配置された帯電装置３Ｃ、現像装置５Ｃ、クリーニング装置４Ｃなどを具備した構成からなる。
【００１９】
シアン画像を形成する画像ステーションＳＴ２の右隣には、マゼンタ画像を形成する画像ステーションが位置している。このマゼンタ画像用の画像ステーションは、感光体ドラム２Ｍと、そのまわりに配置された帯電装置３Ｍ、現像装置５Ｍ、クリーニング装置４Ｍなどを具備した構成からなる。
【００２０】
マゼンタ画像を形成する画像ステーションＳＴ３の右隣には、ブラック画像を形成する画像ステーションＳＴ４が位置している。このブラック画像用の画像ステーションＳＴ４は、感光体ドラム２Ｂｋと、そのまわりに配置された帯電装置３Ｂｋ、現像装置５Ｂｋ、クリーニング装置４Ｂｋなどを具備した構成からなる。
【００２１】
中間転写ベルト１１０の内側であって、各画像ステーションにおける感光体ドラム４Ｙ、４Ｃ、４Ｍ、４Ｂｋと対向する位置には、１次転写ローラ１２Ｙ、１２Ｃ、１２Ｍ、１２Ｂｋがベルトに連れ回りするようにして配置されている。
【００２２】
各画像ステーションＳＴ１〜ＳＴ４に共通して対向する配置で、書込み装置８が位置している。この書込み装置８はよく知られるように、レーザー光源から射出されるレーザービームをＹ、Ｃ、Ｍ、Ｂｋの各カラー画像情報信号で制御して走査光を得、これを偏向器で偏向して、各感光体ドラム２Ｙ、２Ｍ、２Ｃ、２Ｂｋに向けて射出する。
【００２３】
中間転写ベルト１１の左側上方には、各現像装置５Ｙ、５Ｃ、５Ｍ、５Ｂｋに補給するトナーを収容したトナーボトルが配置されている。図中左からイエロートナーを充填したトナーボトル６Ｙ、シアントナーを充填したトナーボトル６Ｃ、マゼンタトナーを充填したトナーボトル６Ｍ、ブラックトナーを充填した６Ｂｋなどであり、これらトナーボトルから図示しない搬送経路によって、所定の補給量だけ各色の現像装置５Ｙ、５Ｃ、５Ｍ、５Ｂｋに補給されるようになっている。
【００２４】
書込み装置８の下方には給紙装置７０が配置されている。給紙装置７０には転写紙（シート状媒体）Ｓを収容した給紙カセット（図示省略）が装着されている。給紙装置７０はまた、給紙ローラ７を具備していて、給紙カセットに収容された多数の転写紙Ｓを上から１枚だけ分離して送り出す。給紙ローラ７から出た転写紙Ｓは、上向きに設けられた搬送経路を進むようにしてある。搬送経路上、後述する２次転写ローラ９の直前位置には一対のレジストローラ１０が配置されている。
【００２５】
中間転写ベルト１１０の右端を支持しているローラ１１に対向して２次転写ローラ９が対向位置して２次転写部を構成し、上記搬送経路はこの２次転写部を経てさらに上に延び、定着装置１３を経て、さらに、排出コロ１４を経て、排紙部１５へと導かれている。また、中間転写ベルト１１０の左端を支持しているローラ１６に対向して中間転写ベルトクリーニング装置（図示省略）が配置されている。
【００２６】
[２]  画像形成プロセス
あらかじめ帯電装置３Ｙ、３Ｃ、３Ｍ、３Ｂｋによって一様に帯電された感光体ドラム２Ｙ、２Ｃ、２Ｍ、２Ｂｋは、書き込み装置８からの走査光により露光走査される。これにより、各感光体ドラム２Ｙ、２Ｃ、２Ｍ、２Ｂｋ上に静電潜像が作られる。
【００２７】
各静電潜像は、それぞれ各色の現像装置５Ｙ、５Ｃ、５Ｍ、５Ｂｋにより現像され、感光体ドラム２Ｙ、２Ｃ、２Ｍ、２Ｂｋ表面にイエロー、シアン、マゼンタ、黒のトナー像が形成される。
【００２８】
次に中間転写ベルト１１０が回転し、１次転写ローラ１２Ｙ、１２Ｃ、１２Ｍ、１２Ｂｋに電圧が印加され、各感光体ドラム２Ｙ、２Ｃ、２Ｍ、２Ｂｋ上のトナー像が、中間転写ベルト１１０上に順次重ね転写されていく。ここで、各感光体ドラム上での上記各色の作像動作は、各感光体ドラム上のトナー像が中間転写ベルト１１上の同じ位置に重ねて転写されるように、上流側から下流側に向けてタイミングをずらして実行される。
【００２９】
こうして、中間転写ベルト１１０上には各色の重ね転写により色重ねフルカラートナー像が形成され、該中間転写ベルト１１０の移動と共に右方に移動していく。一方、２次転写ローラ部で会合するようにタイミングを合わせて、給紙ローラ３により転写紙Ｓが送り出され、転写紙Ｓの先端部がレジストローラ対１０まで到達すると図示しないセンサによって検知され、この検出信号でタイミングを取りながら、レジストローラ対１０によって転写紙Ｓを２次転写ローラ９と中間転写ベルト１１０のニップ部からなる２次転写部に搬送する。
【００３０】
中間転写ベルト１１０上に形成されたフルカラートナー画像は、２次転写部で、転写紙２に２次転写される。フルカラートナー画像が転写された転写紙Ｓは、定着装置１３に搬送されて熱定着され、排出コロ１４により、排紙部１５に送り出され積載される。
【００３１】
なお、感光体ドラム２Ｙ、２Ｃ、２Ｍ、２Ｂｋ上の残留トナーは、それぞれのクリーニング装置４Ｙ、４Ｃ、４Ｍ、４Ｂｋでクリーニングされ、その後、帯電装置３Ｙ、３Ｃ、３Ｍ、３Ｂｋによって除電と同時に帯電され、次の作像に備える。また、中間転写ベルト１１０上の残留トナーは、ローラ１６に対向配置された中間転写ベルトクリーニング装置（図示省略）によってクリーニングされ、次の作像工程に備えられる。
【００３２】
[３]  高圧給電系
前記した構成において、高電圧を必要とするプロセス部材、つまり、駆動に高電圧を必要とする被給電系の部材を例示すると、作像系について、例えば、帯電装置３Ｙ、３Ｍ、３Ｃ、３Ｂｋ、現像装置５Ｙ、５Ｍ、５Ｃ、５Ｂｋ、１次転写ローラ１２Ｙ、１２Ｍ、１２Ｃ、１２Ｂｋ、２次転写ローラ９Ｙ、９Ｍ、９Ｃ、９Ｂｋ、等（以下、各プロセス部材という。）がある。
【００３３】
かかる各プロセス部材を駆動するための高圧電流の給電経路は、操作系の低電流の給電経路とは別系統になっていて、高圧用の電源部から高圧用の給電経路を介して前記各プロセス部材に給電されるようにしてある。この高圧用の電源部は電装ユニットに構成されている。電装ユニットの全体像は図１には示してないが、図２にその一部を符号２００で示す。
【００３４】
この電装ユニット２００装置本体１００の内部に位置し、書き込み装置８の下方から、紙面を貫く奥側に至り書き込み装置８を回り込んで立ち上がった領域に至る範囲を占める立体的な外形を有するユニットとして構成されている。この電装ユニット２００は、それ自体のメンテナンス上の便宜を図るため、当該装置本体１００に対して着脱可能に設けられている。装着状態において電装ユニット２００は装置本体１００と一体化されて不動部材を構成する。
【００３５】
電装ユニット２００は、電源ユニット、パワーパック、エンジンボードなどを供えている。このパワーパックを図１に符号２０で示す。電源ユニット２００は、高圧電流のもととなる電源部を備え、パワーパック２０を介して被給電側、つまり、各プロセス部に供給される。前記エンジンボードは、各種センサ、モーター、クラッチなどに送る信号（低圧電流）をつくるもので本発明の給電経路とは別系統で給電される。
【００３６】
図２に、前記電装ユニット２００に搭載されたパワーパック２２が示してある。パワーパック２２から発生した高圧電流はハーネス２３（図では単線ように示したが実際には各プロセス部材用として複数本ある。）を通って最終的には各プロセス部材に至る。ここで、仮に、ハーネス２３の他端側を図２に示した構成でなく、最終被給電部たる各プロセス部材に直接、接続したとすると、メンテナンスに際して電装ユニット２００を装置本体１００から抜脱する際に、電装ユニット２００と装置本体１００側に残っている各プロセス部材との間のハーネス２３の接続を断たなければならず、高圧に耐えるコネクタ或いは個々の接続離脱操作が必要になり煩わしい。
【００３７】
そこで、図２に示すように、パワーパック２２から導き出された複数のハーネス２３の端部を、端子板２４に設けた端子２５に導くようにした。この端子２５は電源側（給電側）の端子であり、複数設けられている。これら端子２５に対して接離して電気的に開閉される電気的な接点部材（ヘッダーピン）５０を平板状の面板６０に設け、該面板６０に設けた給電経路５２及び接点部材（ヘッダーピン）５１を介して、作像ユニット８０側に設けた各プロセス部材側（被給電側）の端子８１に高圧電流を供給するようにしている。
【００３８】
面板６０上の給電系についてさらに詳しく述べると、複数の接点部材５０はそれぞれに対応した複数の給電経路５２を介して接点部材（ヘッダーピン）５１に導通している。これら接点部材５０、５１は円柱状をなし、面板６０にしっかりと固定されていてその先端部（接点）は球面状に形成されている。各接点部材５１は接点部材５０から離間した位置に分配されていて、この分配された位置には、端子８１が対向して位置している。
【００３９】
図２において、作像ユニット８０には転写ベルト装置１２０、各画像ステーションＳＴ１〜ＳＴ４等が一体的に収められていて、これら転写ベルト装置１２０、各画像ステーションＳＴ１〜ＳＴ４の一部である各プロセス部材、すなわち、帯電装置３Ｙ、３Ｍ、３Ｃ、３Ｂｋ、現像装置５Ｙ、５Ｍ、５Ｃ、５Ｂｋ、１次転写ローラ１２Ｙ、１２Ｍ、１２Ｃ、１２Ｂｋ、２次転写ローラ９Ｙ、９Ｍ、９Ｃ、９Ｂｋ等に対して、被給電側端子８１を介して高圧電流が給電される。
【００４０】
作像ユニット８０は、メンテナンスに際して図２において図示省略のガイドに沿って右方、図１において紙面を貫く手前側に引き出し、装置本体１００から抜き出すことができる。面板６０は、図１に破線で示すように作像ユニット８０を覆う広がりを有する平板からなり、図２、図３に示すようにその下端部に支点軸６１を有する。
【００４１】
この支点軸６１の軸線方向は、図１において左右方向、つまり、感光体ドラム２Ｙなどの軸線方向と直交する方向、図２において紙面を貫く方向であり、該支点軸６１が装置本体１００に枢着されている。面板６０はこの支点軸６１を支点として鉛直方向に起した位置（図２、図３に実線で示した位置。）と水平方向に倒した位置（図２に２点鎖線で示した位置。）との間で回動可能である。接点部材５０は端子２５の数と同数設けられていて、接点部材５１よりも支点軸６１に近い位置に分散して位置している。
【００４２】
図２において、面板６０を起したときに、接点部材５０が鉛直な側板１００Ａに形成された開口１００Ａ１を介して端子２５に圧接して導通状態となり、同時に接点部材５１が側板１００Ａに形成された開口１００Ａ１を介して端子８１に圧接する。かかる圧接がなされ、導通状態が得られるように、各端子と各接点部材の配置位置、寸法などが精度よくつくられている。接点部材５１は、接点部材５０と同数設けられている。
【００４３】
また、導通状態をよくするために、これら接点部材５０、５１の先端部の丸みに合わせて、各端子２５、８１の被圧接部は同じ曲率の球面の一部をなすようにへこんでいて、圧接面同士が密着するようにしてある。
【００４４】
面板６０の自由端側と装置本体１００と一体的な側板１００Ａとの間には、上記のように接点部材５０が端子２５に、接点部材５１が端子８１にそれぞれ圧接して導通した状態が保持されるように、該面板６０を起した状態でその位置を保持するロック機構があり、かかるロック機構により位置保持がなされる。このように、面板６０は支点を中心に回動する構成であるので、接点部材と端子との電気的な開閉を簡単な動作で実現することができる。
【００４５】
端子板２４は電装ユニット２００に支持されている（請求項２）。パワーパック２２と端子板２４の複数の端子２５とはハーネス２３でつながれているものの、端子板２４及びパワーパック２２は共に同一の電装ユニット２００に取り付けられている。従って、電装ユニット２００を装置本体１００に着脱する際に、電装ユニット２００上での端子板２４とパワーパック２２との位置関係に変化はなく、よって、端子板２４を設けずに直接各プロセス部材にハーネス２３を接続する場合のように、ハーネス２３の長さに大きなたるみをつけるとか、或いは、端部の電気的な接続を解除するなどの操作は必要ない。
【００４６】
以上のように本例では、作像部を含む作像ユニット８０に設けた接点に対して接離する接点を有し、これら接点同士の接離を、回動部材の回動動作を利用して行なう画像形成装置において、電源部の電力をパワーパック２２を介して作像部（作像ユニット８０）に供給する給電経路５２及び該給電経路５２上の接点（接点部材５０、５１）を回動可能な平板状の面板６０内にもたせ、該給電経路上５２の接点（接点部材５０、５１）が、前記電源部と導通する給電側の接点（端子２４）及び前記作像部側（作像ユニット８０側）に設けた被給電側の接点（端子８１）に対して、該面板６０の回動動作に応じて接離することで電気的に開閉する構成を備えると共に、不動部材、例えば電装ユニット２００に支持された端子板２４を設けこの端子板２４に前記給電側の接点（端子２５）を設けた（請求項１）。
【００４７】
かかる構成では、接点部材５０（５１）と端子２５（８１）同士の接離（電気的な開閉）が回動部材である面板６０の直接の回動動作を利用して行なわれるので、接点同士の電気的開閉が簡易な機構で可能であり、部材構成も単純化される。面板６０は平板からなる板状の単純な形状であり、製作も容易であるし、軽量であるので、回動操作に際しても作業者の負担にならない。よって、電装ユニット２００や作像ユニット８０を装置本体１００に対して着脱する際の給電系の切り離し操作が簡単にでき、電装ユニット２００や作像ユニット８０のメンテナンス作業が容易になる。
【００４８】
[４]  端子板の補強
作像ユニット８０を装置装置本体１００へ装着するに際しては、作像ユニットの左方側（奥側）は装置本体１００と一体のストッパ部材にこれに押し当てられるので、面板の回動操作によって接点部材５１が端子８１を押すことで左方への押圧力が作用しても端子８１の位置は変位しない。これに対して、端子板２４は接点部材５０の押圧により変位する可能性がある。
【００４９】
すなわち、端子板２４は電装ユニット２００上であって、かつ、作像ユニット８０の端子８１の近傍に位置している。端子板２４は、レイアウトの都合上、限られた空間内の配置となり、各部材が密に構成された装置本体１００内部での配置となるので、図２に示すように、板状の部材とせざるを得ず、しかも、支持部が限定されていて、書き込み装置８の近傍の水平板部材１００Ｂしかないので、Ｌ字型の形状とし、片持ちで固定するしかない。固定手段はねじ９０を用いている。
【００５０】
このように、端子板２４は片持ち状の取付けとなるので、自由端側は接点部材５０による側圧に対して強度的に弱く、撓みを生じやすい。このため、次第に接点部の接触が不完全になる。そこで、本例では、端子板２４の自由端側が不動部材である側板１００Ａに対向する構成にして、これら端子板２４と側板１００Ａ間をねじ４０で補強している（請求項３）。これにより、端子板２４の自由端側は側板１００Ａに固定された形となるので、接点部材５０の押圧に耐えて、良好な導通状態を維持することができる。
【００５１】
ここで、ねじ４０として図４に示すように段ねじとした（請求項４）。段付きのねじ４０が、側板１００Ａの貫通穴１００Ａ３を介して挿入され、ねじ４０のおねじ部４０ｃが端子板２４のめねじ部２４ａに螺合されて段部４０ｂが端子板２４の外面（図４における右側面）に当接して締め込まれたときに、その頭部の座面４０ａが側板１００Ａの外面（図４における右側面）に当接する。つまり、座面４０ａと段部４０ｂ間の距離Ｌとすると、締め付け後の側板１００Ａと端子板２４との間の距離も同寸の距離Ｌに定まり端子板２４の強度が補強される。
【００５２】
これにより、接点部材５０が端子２５を押圧しても、ねじ４０が引張り力を受けるので、端子板２４の撓みに対する強度が増し、接点の導通を保持できる。ねじ４０を設ける位置は、力を受ける端子２５に可能な限り近い位置がよい。また、図３に示すように、端子２５は端子板２４上に複数分散して設けられているので、ねじ４０も押圧力に耐えるようにバランスを考慮して適正に分散配置することとし連結補強する箇所を複数にするのがよい（請求項５）。
【００５３】
図１乃至図３に示したように、面板６０は装置本体１００の一部である側板１００Ａの近傍に位置する。側板１００Ａには作像ユニット８０を装置本体１００に対して着脱可能とする開口部１００Ａ２が形成されていて、面板６０はこの開口部１００Ａ２を開閉する蓋の機能も有していて、給電及び電気的な開閉機能を兼用し、回動動作に応じて開口部１００Ａ２を開閉すると共に接点部材と端子間の電気的な開閉も行なう（請求項６）。よって、部品の共通化による構成の単純化を図ることができる。
【００５４】
[５]  端子板の移動
端子板２４の装置本体１００内部での設置状態を示した図４において、端子板２４は装置本体１００の内部において、電装基板類が搭載された電装ユニット（不動部材）２００の板状部分にねじ９０によってセットされている。図４におけるＸ−Ｘ断面を示した図５に示すように、端子板２４の電装ユニット２００への取付け部は板状になっていて、左右方向に長い長穴９５が形成され、この長穴９５を介して、ねじ９０で電装ユニット２００に固定するようにしている。
【００５５】
ねじ９０としては、前記したねじ４０と同様に段ねじを用いている。段ねじとしたことで該ねじ９０を締めたままで、端子板２４を長穴９５の長手方向（矢印方向）にスライドさせることができる。スライド方向を安定させるため、また、端子板２４の取付位置がずれないように、長穴９５は複数列（本例では３列）設け、これに応じてねじ９０も複数用いて固定する構成とした。
【００５６】
このように、端子板２４は一定位置に固定される構成ではなく、長穴９５の範囲で矢印方向（面板６０）に近づき或いは遠ざかる方向にスライド移動が可能な構成であり、装置本体１００の外側から前記したねじ４０によって補強する際、予めねじ９０を緩めておくことで、端子板２４は全体が側板１００Ａ側に引っ張られてスライドできるようにしてある。これにより、ねじ４０による締め付けが行なわれても、それによる端子板２４の変形が防止される。
【００５７】
以上において、端子２５、８１や接点部材５０、５１は、電気回路の開閉点たる接点を構成する部材の一例であり、例示したこれら接点部材や端子などの部材以外にも接点を構成できる任意の部材に置き換えて実施することができる。
【図面の簡単な説明】
【００５８】
【図１】画像形成装置の構成を説明した図である。
【図２】端子板、面板など本発明の構成の一部を説明した画像形成装置の部分断面図である。
【図３】面板、端子板など本発明の構成の一部を説明した画像形成装置の部分正面図である。
【図４】端子板の取付け構造を説明した断面図である。
【図５】図４におけるＸ―Ｘ断面図である。
【符号の説明】
【００５９】
２４  端子板
２５、８１  端子
５０、５１  接点部材
６０  面板
１２０  転写ベルト装置
ＳＴ１〜ＳＴ４  画像ステーション
【図１】
2005242199.tif 000003
【図２】
2005242199.tif 000004
【図３】
2005242199.tif 000005
【図４】
2005242199.tif 000006
【図５】
2005242199.tif 000007